【事件の表示】
　特願２０１１−５００９８０「サービングＨＳ−ＤＳＣＨセルの変更を実行するための方法および装置」拒絶査定不服審判事件〔平成２１年　９月２４日国際公開、ＷＯ２００９／１１７６６０、平成２３年　５月１９日国内公表、特表２０１１−５１５９６３〕について、次のとおり審決する。
【結　論】
　本件審判の請求は、成り立たない。
【理　由】
　
１．手続の経緯
　
　本願は、２００９年３月２０日（パリ条約による優先権主張外国庁受理２００８年３月２１日、米国）を国際出願日とする出願であって、平成２４年２月１６日付けで拒絶理由が通知され、平成２４年５月１８日付けで手続補正がなされ、平成２４年８月１６日付けで拒絶査定がされ、平成２４年１２月２１日に拒絶査定不服審判が請求されたものである。
　
　
２．本願発明
　
　本願の請求項１に係る発明（以下「本願発明」という。）は、平成２４年５月１８日付手続補正書の特許請求の範囲の請求項１に記載された事項により特定される、以下のとおりのものと認める。
　
「無線送信／受信ユニット（ＷＴＲＵ）によってソースセルからターゲットセルにサービングＨＳ−ＤＳＣＨ（high speed downlink shared channel）セル変更を行う方法であって、
　前記方法は、
　ＨＳ−ＤＳＣＨターゲットセルの事前設定情報を前記ＷＴＲＵによって受信し、および格納するステップと、
　前記ＷＴＲＵによってイベント１Ｄを判定するステップと、
　前記イベント１Ｄに応答して前記ＷＴＲＵによって測定レポートをトリガするステップと、
　前記ＷＴＲＵによってタイマを開始するステップと、
　前記タイマの満了まで、セル変更情報について前記ターゲットセル上のＨＳ−ＳＣＣＨ（high speed shared control channel）を前記ＷＴＲＵによってモニタするステップと
　を備え、
　前記ＷＴＲＵは、前記ＨＳ−ＤＳＣＨセル変更の間、前記ＨＳ−ＤＳＣＨターゲットセルの事前設定情報を使用することを特徴とする方法。」
　
　
３．引用例
　
　本願の優先日前である平成１９年４月１２日に国際公開された国際公開第２００７／０４０３３１号（以下「引用例１」という）には、次の事項が記載されている。（なお、引用例１に対応する日本出願の公報である特表２００９−５１２２６７号公報の対応する箇所を当審訳として参考する。）
　
「An enhanced procedure is proposed in an attempt to improve the performance of the HS-DSCH cell change procedure. This procedure is referred to as the 'Enhanced HSDPA re-pointing procedure'. An overview of this enhanced HS-DSCH serving cell change procedure, which involves a change of node B case, is provided in FIG. 3.
　There are main differences between the Enhanced HSDPA re-pointing procedure and the original HS-DSCH serving cell change procedure.
　Whenever a cell is added to the active set, the RNC may decide to prepare the UE and the node B for a possible HS-DSCH cell change to the concerned cell, by pre-configuring HSDPA related information.
　When the UE detects that one of the pre-configured cells has become the best, it starts monitoring the HS-SCCHs channel of the concerned cell (after waiting for a configurable amount of time) while it continues normal HSDPA operation for the current serving HS-DSCH cell.
　In HSDPA, the HS-SCCH channel is used by the node B to signal information about the scheduling of data, which is transferred via the HS-DSCH channel
　When the RNC decides to perform the HS-DSCH cell change, it indicates this to the UE via one of the HS-SCCHs of the concerned target cell. Upon detection of data that is scheduled via an HS pre-configured (HS candidate) cell, the UE switches. For example, the concerned cell becomes the serving HS-DSCH cell
　Prior to the indication on HS-SCCH such as prior to switching to the new cell, the RNC may order the current cell to discontinue HS- transmission. The source node may provide status information regarding data that is still outstanding. Alternatively, the RNC may delay discontinuation of the HS-transmission in the current cell to reduce the interruption time. However, this may result in unnecessary retransmissions
　It should be noted that the Enhanced HS-DPA re-pointing procedure applies a modified version of the Radio Link Reconfiguration procedure, in which the HDSPA configuration is preloaded during a prepare/ready phase while the actual use of the configuration triggered by the commit is delayed (or does not happen at all).」（５頁６行〜６頁３行）
（当審訳：【００１８】−【００２５】参照
　ＨＳ−ＤＳＣＨセル変更手続きの遂行を改善するための手続きが提案される。このような手続きを‘拡張された（Enhanced）ＨＳＤＰＡ再指示（re-pointing）手続き’と呼ぶ。図３は、ノードＢの変更を含む拡張されたＨＳ−ＤＳＣＨサービングセル変更手続きを概略的に示す。
　拡張されたＨＳＤＰＡ再指示手続きと一般的なＨＳ−ＤＳＣＨサービングセル変更手続きとは、次のような主な差異点がある。
　セルがアクティブセットに追加される度に、ＲＮＣは、ＨＳＤＰＡ関連情報を事前設定することにより、関連セルへのＨＳ−ＤＳＣＨセル変更のために、ＵＥ及びノードＢを準備させることを決定する。
　ＵＥが事前設定されたセルのうちの１つがベストセル（best cell）となったことを感知すると、現在のサービングＨＳ−ＤＳＣＨセルのための基本的なＨＳＤＰＡ動作を遂行しつつ（予め定められた時間の間に待機した後に）、関連セルのＨＳ−ＳＣＣＨチャネルのモニタリングを開始する。
　ＨＳＤＰＡにおいて、ＨＳ−ＳＣＣＨチャネルは、ＨＳ−ＤＳＣＨチャネルを介して転送されるデータのスケジューリングに関する情報をシグナリングするために、ノードＢにより使用される。
　ＲＮＣがＨＳ−ＤＳＣＨセル変更を遂行することを決定すると、関連ターゲットセルのＨＳ−ＳＣＣＨのうちの１つを介してＵＥにこのような事実を通知する。ＨＳ事前設定された（ＨＳ候補（candidate））セルを介してスケジューリングされたデータが感知されると、ＵＥは、スイッチングする。例えば、関連セルがサービングＨＳ−ＤＳＣＨセルとなる。
　新たなセルにスイッチングする前のようにＨＳ−ＳＣＣＨを通知する前に、ＲＮＣは、現在のセルにＨＳ送信を中断することを指示する。ソースノードは、まだ残っている（outstanding）データと関連した状態情報を提供する。その代りに、ＲＮＣは、インタラプトタイムを減少させるために、現在のセルでのＨＳ送信の中断を保留することができる。しかしながら、これは、不必要な再送信を引き起こすことができる。
　拡張されたＨＳ−ＤＰＡ再指示手続きは、無線リンク（Radio Link：ＲＬ）再設定手続きの変形されたバージョンを適用する。ここで、ＨＳ−ＤＰＡ設定は、プリペア／レディーフェーズ（prepare/ready phase）の間にあらかじめローディングされ、設定の実質的な使用は、遅延された命令（commit）によりトリガーされる（またはまったく起こらない。）。）
　
　FIG.3には、UEが、RRC measurement(event 1D)をSRNCに送信した後、Start monitoring new cellして、New Node BからHS-SCCH indicates data scheduled in new cellを受信すると、UE switches i.e. Stope monitoring old cellすることが記載されている。
　
　上記によれば、引用例１には、
　
「ＨＳ−ＤＳＣＨセル変更手続きの遂行を改善するための手続きであって、一般的なＨＳ−ＤＳＣＨサービングセル変更手続きとは、
　セルがアクティブセットに追加される度に、ＲＮＣは、ＨＳＤＰＡ関連情報を事前設定することにより、関連セルへのＨＳ−ＤＳＣＨセル変更のために、ＵＥ及びノードＢを準備させることを決定するとの主な差異点があり、
　ＵＥが事前設定されたセルのうちの１つがベストセルとなったことを感知すると、RRC measurement(event 1D)を送信して現在のサービングＨＳ−ＤＳＣＨセルのための基本的なＨＳＤＰＡ動作を遂行しつつ、予め定められた時間の間に待機した後に、関連セルのＨＳ−ＳＣＣＨチャネルのモニタリングを開始し、
　ＨＳＤＰＡにおいて、ＨＳ−ＳＣＣＨチャネルは、ＨＳ−ＤＳＣＨチャネルを介して転送されるデータのスケジューリングに関する情報をシグナリングするために、ノードＢにより使用され、
　ＲＮＣがＨＳ−ＤＳＣＨセル変更を遂行することを決定すると、関連ターゲットセルのＨＳ−ＳＣＣＨのうちの１つを介してＵＥにこのような事実を通知し、HS-SCCH indicates data scheduled in new cellによりＨＳ事前設定されたＨＳ候補セルを介してスケジューリングされたデータが感知されると、ＵＥは、スイッチングする。」
　
が記載されている。（以下「引用発明」という）
　
　
４．本願発明と引用発明の対比
　
　引用発明の「ＵＥ」は本願発明の「無線送信／受信ユニット（ＷＴＲＵ）」に相当し、
　引用発明の「event 1D」は本願発明の「イベント１Ｄ」に相当する。
　
　引用発明の「関連セル」「ＨＳ候補セル」「new cell」は、いずれもハンドオーバ対象先のセルであるから、本願発明の「ＨＳ−ＤＳＣＨターゲットセル」といえる。
　
　引用発明の「ＨＳ−ＤＳＣＨセル変更手続き」は本願発明の「ＨＳ−ＤＳＣＨセル変更を行う方法」に相当する。
　ここで、「セル変更」において、端末が現在接続しているセルを「ソースセル」と呼び、変更先のセルを「ターゲットセル」と呼ぶこと、すなわち「セル変更」とは「ソースセルからターゲットセル」に「サービングセル変更」を行うことを意味することは当該技術における技術常識であるから、「ＨＳ−ＤＳＣＨセル変更手続き」は「ＷＴＲＵによってソースセルからターゲットセルにサービングＨＳ−ＤＳＣＨセル変更を行う方法」といえる。
　
　引用例１に
「When the new radio link becomes the best cell, the UE sends another measurement report (event ID). 」（２頁２６〜２７行）
（参考訳：【０００９】参照
　上記新たな無線リンクが最適のセル（best cell）となると、ＵＥは、他の測定報告を送信する（イベント１Ｄ）。）
　とあるように、引用発明においてＵＥが感知する「事前設定されたセルのうちの１つがベストセルとなった」という状態は、「イベント１Ｄ」のことであるから、ＵＥ（ＷＴＲＵ）は「イベント１Ｄ」を判定しているといえる。
　
　ここで「RRC measurement(event 1D)」は、上記「イベント１Ｄ」により送信される「他の測定報告」すなわち「測定レポート」を意味していることは明らかであるから、引用発明においても「イベント１Ｄ」により「測定レポート」を送信、すなわち、「イベント１Ｄに応答してＵＥ（ＷＴＲＵ）により測定レポートをトリガ」しているといえる。
　
　引用発明の「HS-SCCH indicates data scheduled in new cell」は「関連ターゲットセルのＨＳ−ＳＣＣＨのうちの１つを介して」通知され、ここで「new cell」は「ＨＳ事前設定されたＨＳ候補セル」であるから、「HS-SCCH indicates data scheduled in new cell」は、「ターゲットセル上のHS-SCCH」上の「スケジューリングに関する情報」であり、該情報を受信するためには、ＵＥが「ターゲットセル上のHS-SCCH」をモニタしていることは明らかである。
　ここで「スケジューリングに関する情報」は「ＨＳ『事前設定』されたＨＳ候補セル」の「情報」であるから、「事前設定情報」といえる。
　
　したがって、本願発明と引用発明は、
　
「無線送信／受信ユニット（ＷＴＲＵ）によってソースセルからターゲットセルにサービングＨＳ−ＤＳＣＨセル変更を行う方法であって、
　前記方法は、
　ＨＳ−ＤＳＣＨターゲットセルの事前設定情報を前記ＷＴＲＵによって受信するステップと、
　前記ＷＴＲＵによってイベント１Ｄを判定するステップと、
　前記イベント１Ｄに応答して前記ＷＴＲＵによって測定レポートをトリガするステップと、
　前記セル変更情報について前記ターゲットセル上のＨＳ−ＳＣＣＨを前記ＷＴＲＵによってモニタするステップと
　を備える方法。」
　
　で一致し、下記の点で相違する。
　
　相違点１
　
　本願発明では、「ＷＴＲＵによってタイマを開始するステップ」を有し、「タイマの満了まで」までモニタするが、引用発明は、「予め定められた時間の間に待機」して「関連セルのＨＳ-ＳＣＣＨチャネルのモニタリングを開始」する点。
　
　相違点２
　
　本願発明では、「ＨＳ−ＤＳＣＨターゲットセルの事前設定情報を前記ＷＴＲＵによって受信し、および格納するステップ」を有して「ＷＴＲＵは、前記ＨＳ−ＤＳＣＨセル変更の間、前記ＨＳ−ＤＳＣＨターゲットセルの事前設定情報を使用する」が、引用発明では、「ＨＳ事前設定されたＨＳ候補セルを介してスケジューリングされたデータ」であるRRC measurement(event 1D)を受信するが、格納や使用に関する記載が無い点。
　
　
５．当審の判断
　
　上記相違点について検討する。
　
　相違点１について
　
　引用発明は、「event 1Dを送信」してから「予め定められた時間の間に待機」して「関連セルのＨＳ-ＳＣＣＨチャネルのモニタリングを開始」するのであるから、「event 1Dを送信」してからの「予め定められた時間」を計測する必要があることは当然であり、「時間」を計測する場合にタイマを開始させることは常套手段であるから、引用発明が「タイマを開始」するステップを有することは容易に想到し得ることである。
　
　また、通信技術において、送信信号に対応する応答信号を待つ場合、所定時間以上応答信号が受信されない場合にタイムアウト（タイマの満了）によりエラー処理を行うことは周知であるから、送信信号である「RRC measurement(event 1D)」に対する応答信号である「RRC measurement(event 1D)」を上記タイマの満了までモニタすることは容易に想到しうることである。
　
　相違点２について
　
　引用発明では受信した「HS-SCCH indicates data scheduled in new cell」を格納したり使用したりすることは記載されていないが、受信したデータを格納することは通常の受信処理にすぎない。
　また、受信した情報は何かに使用するために受信することは明らかであり、「ハンドオーバ中」に受信した「ターゲットセル」の情報を「ハンドオーバ中」に使用することは通常のことであるから、引用発明が受信した「事前設定情報」を格納し、ハンドオーバ中に前記情報を使用することは容易に想到しうることである。
　
　そして、本願発明のように構成したことによる効果も、引用発明及び周知技術から予測できる範囲のものである。
　
　
６．むすび
　
　以上のとおり、本願発明は、引用発明及び周知技術に基づいて、当業者が容易に発明をすることができたものであるから、特許法第２９条第２項の規定により特許を受けることができない。
　よって、結論のとおり審決する。